【事件の表示】
　平成　１年特許願第１７４９６５号「再生装置」拒絶査定に対する審判事件［平成　３年　２月２１日出願公開、特開平　３−　４０２８６］について、次のとおり審決する。
【結　論】
　本件審判の請求は、成り立たない。
【理　由】
 １．出願の経緯・本件発明
　本件出願は、平成１年７月６日の出願であって、平成８年６月２５日付け、平成１０年６月１０日付け、平成１０年１１月２６日付け、および平成１１年１０月１２日付けで補正された明細書および図面の記載によれば、本件請求項１に係る発明は、「画像情報に与えられた日時及びシリアル番号の情報を使用者の指示によって選択的に表示するので、画像情報を特定するために使用者が必要とする多くの情報を」「表示することが出来」、「画像情報を特定するための情報を所定時間、表示した後に、この表示を解除するので、」「表示解除の操作を省くので使い勝手がよくなる」ことを目的・効果とし、以下の構成により特定されるものである。
「画像情報信号とともに、当該画像情報信号に固有のシリアル番号を示す情報と、当該画像情報信号に与えられた日時情報とが記憶されている記録媒体から、画像情報信号を再生する再生装置であって、前記記録媒体に記憶された画像情報信号のうち、再生すべき画像情報信号を任意に選択する選択手段と、前記選択手段で選択された画像情報信号と、当該画像情報信号に固有のシリアル番号を示す情報と，当該画像情報信号に与えられた日時情報とを、前記記録媒体から読み出す読み出し手段と、前記選択手段で選択された画像情報信号に固有のシリアル番号に対応した情報と、当該画像情報信号に与えられた日時情報のうち、表示装置に表示させる情報の種類を選択すべく、使用者の手動操作による選択を受け付ける受け付け手段と、前記表示装置により行われている、前記受け付け手段によって受け付けた選択に応じた情報の表示を、所定時間経過後に解除する解除手段とを有することを特徴とする再生装置。」
２．刊行物記載発明
　 当審の拒絶理由で引用した特開昭６３−７５８７号公報（以下、「刊行物１」という。）には、
「音声記録時および音声再生時、その経過時間を表示するとともに、表示内容の混同をなくすこと」を目的とし、
映像信号と音声信号とが記録可能である記録装置及び映像信号と音声信号が再生可能な再生装置に関し、
「映像信号の記録の際には記録動作に係る表示を行い、音声信号の記録の際には記録開始から記録経過時間を表示する表示手段を具備した（中略）記録装置」（第２頁右上欄５行〜８行）、
「映像信号の再生の際には再生動作に係る表示を行い、音声信号の再生の際には再生開始から再生経過時間を表示する表示手段を具備した（中略）再生装置」（第２頁右上欄１３行〜１６行）、
「磁気シートの同心円上に形成されたトラックに静止画映像信号あるいは時間軸圧縮された数十秒の音声信号を記録、再生出来る」（第２頁左下欄８行〜１１行）、
「２３はメインコントローラ２０の信号により表示部２４を駆動する表示コントローラであり、該コントローラ２３は映像信号の記録の際には例えば第４図i）に示す様な表示を表示部２４に行わせ、音声信号の記録の際には例えば第４図ii）に示す様な表示を表示部２４に行わせる。」（第３頁左上欄８行〜１３行）、「１０１は（中略）記録、再生モード切換スイッチ、
１０２は（中略）音声映像モード切換スイッチ、
１０３はオンする毎に音声圧縮率を切り換える音声圧縮率設定するためのスイッチであり、音声記録モードにおいて該スイッチ１０３を１回オンすると、表示部２４の表示が例えば第４図i）に示すトラックナンバーの表示から第４図ii）に示す音声記録可能な時間表示に切り替わり（中略）
１０４はレリーズスイッチ（中略）、
１０５はヘッド３３を１トラック分シートの内周側に移動させるＵＰスイッチ、
１０６はヘッド３３を１トラック分シートの外周側に移動させるＤＯＷＮスイッチである。」（第３頁右下欄５行〜第４頁左上欄７行）、
「＃１４：表示コントローラ２３を介して表示部２４がヘッド３３のアクセスしているトラックナンバーを表示する様に表示部２４を駆動する。
＃１５：スイッチ１０２の状態を検出して音声記録モードであるか、映像記録モードであるかを判別し、音声記録モードの際には＃１６へ、映像記録モードの際には＃２８へフローは分岐する。
＃１６：音声記録モード時には表示部２４にトラックナンバーに代えて例えば第４ii）に示す様な音声記録可能な時間を表示部２４に表示させる。」（第５頁左上欄１行〜１２行）、
映像記録モードが設定された場合の動作について、「ＦＭ変調された信号をヘッド３３により磁気シート３４に記録する。尚このステップにおいてはトラックメモリの記録が行われたトラックに対応するビットがセットされる。」（ 第６頁右上欄６行〜１０行）、
「以上の記録モードの動作においてはスイッチ１０１，１０２により音声記録モードが設定されている際には表示部２４に音声記録可能な時間が表示され、かつスイッチ１０３により音声圧縮率が変更可能な場合には表示部２４の表示は点滅表示となり、一旦音声記録が開始されるとその経過時間に従い表示部２４には音声記録可能な残余時間が表示される。また、映像記録モードの際には表示部２４にはヘッド３３のアクセスしているトラックのナンバーが表示される。」（第６頁右上欄第１１行〜２０行）、
「表示部２４を第５図に示す様に構成し、音声記録可能な時間の表示と、ヘッド３３のアクセスしているトラックのナンバーの表示とを同一の表示器で行う一方、音声圧縮率に対応した表示は別の表示部で行う様にしてもよい。」（第６頁左下欄５行〜１０行）、
「再生モードが設定された状態で（中略）ヘッド３３の出力からＩＤ信号が検出され、ヘッド３３のアクセスしているトラックに映像信号が記録されているか、音声信号が記録されているかが判別され、その判別結果に応じて表示部２４に異なる表示が行われる。」（第７頁右下欄第１５行〜第８頁左上欄３行）、
「音声信号の記録あるいは再生の経過時間と記録再生のトラックナンバー及び記録不能表示を表示部２４に行った」（第８頁右上欄１２行〜１４行）、
とする発明が記載されている。
 当審の拒絶理由で引用した特開昭６２−２７２２３７号公報（以下、「刊行物２」という。）には、
「表示情報を見易いカメラの多機能表示装置を提供すること」を目的とし、
「一般に、カメラにおける表示装置では、フイルム枚数、Ｆ値、シャッタスピード（ＴＶ）など多くの情報を表示するように考えられている。特に、電子スチルカメラの表示装置においては、前述の情報に加えて、時刻、日付、ホワイトバランス、その他数字表示をする項目（ＩＤ）などより多くの表示を必要とする。ここで常に表示をしておく必要のないもの、例えば時刻、日付、ＩＤ、ＴＶなどは、表示セグメントの兼用が考えられている。」（第２頁左上欄７行〜１５行）、
「時刻、日付、撮影枚数などを設定するＩＤスイッチ１４により設定された各種情報をＬＣＤ表示器５に表示させる。」（第２頁右下欄２行〜４行）、
 当審の拒絶理由で引用した特開昭６３−１８４９８５号公報（以下、「刊行物３」という。）には、
「任意の時点で任意のプログラム番号をスタートＩＤ信号と同時に記録することができる記録再生装置を提供すること」を目的とし、「プログラムサーチ用テンキーを備えた記録再生装置において、動作モードを記録一時待機状態又はリハーサル状態となした後プログラムサーチ用テンキーを用いて任意のプログラム番号を設定し、記録開始して曲毎にプログラム番号を記録する」（第１頁右下欄９行〜１４行）、
「プログラム番号の記録モードにすると、装置はテープの始めからスタートＩＤ信号を捜しながら、このスタートＩＤ信号をプログラム番号に順次書き換えてゆく動作をする。したがって、各曲の頭にスタートＩＤ信号が記録される場合には、テープの始めから各曲毎に通し番号がプログラム番号としてサブコード領域ＳＵＢに書かれるものである。」（第２頁左下欄１８行〜右下欄５行）、
「リナンバ用ボタン（３６）の場合、プログラム番号を１から順にふり直すときに押す。」（第５頁左下欄１３行〜１４行）、
「（４２）は数字（０〜９）ボタンすなわちテンキーであって、録音を始める前（録音一時停止中）に希望の番号を押すと、その番号から曲番が自動的にふられていく。再生時にはこのボタンで聞きたい曲の曲番を選ぶ。」（第６頁左上欄４行〜８行）、
「（６５）はＰＧＭ（曲番）表示部であって、プログラム番号が記録されている場合、現在の曲番を表示する。」（第６頁右下欄６行〜８行）、
「設定したプログラム番号がＰＧＭ表示部（６５）に表示される。」（第７頁右上欄２０行〜左下欄２行）、
とする発明が記載されている。
　当審の拒絶理由に引用された特開昭６３−２２４００９号公報（以下、「刊行物４」という。）には、
「同一ＩＤをもつデータブロックが複数個存在する可能性を排除すること」を目的とし、
「従来、（中略）ブロックＩＤは物理的位置、すなわちリールに巻かれているテープの量または長さを示す値と、論理的番号、すなわちブロックに順番に付けられた番号とから構成されている。
磁気テープ制御装置および磁気テープ装置は磁気テープにデータを記録する際にこのブロックＩＤを生成してデータの最後部に付加し、データを読み出す際にはその付加されたＩＤによって読み出されたブロックＩＤの順番が正しいことを確認してデータの保全性を向上させている。」（第１頁右下欄７行〜２０行）、
とする発明が記載されている。
３．対比・判断
　本件請求項１に係る発明と刊行物１記載発明とを対比するに、刊行物１記載発明の「映像信号」は、信号の内容からみて、
  本件請求項１に係る発明の「画像情報信号」に相当し、
  刊行物１記載発明の「トラックナンバー」は、再生モード設定時、表示部２４にトラックナンバーを表示させるとの記載からみて、「画像情報信号に固有の」「情報」を意味し、
  刊行物１記載発明の「ＵＰスイッチ１０５，ＤＯＷＮスイッチ１０６」は、記録媒体に記憶された画像情報信号のうち、再生すべき画像情報信号を任意に選択するものであることから、本件請求項１に係る発明の「選択手段」に相当し、
  刊行物１記載発明の「ヘッド３３」は、映像記録モードの際には表示部２４にはヘッド３３のアクセスしているトラックのナンバーが表示される、との記載からみて、「選択手段で選択された画像情報信号と、当該画像情報信号に固有の」「情報と」「を、記録媒体から読み出す読み出し手段」を意味し、
  刊行物１記載発明の「音声映像モード切換スイッチ１０２，音声圧縮率設定するためのスイッチ１０３」は、音声映像モード切換スイッチ１０２が音声記録モードに設定されている時、音声圧縮率を切り換える音声圧縮率設定するためのスイッチ１０３を１回オンすると、表示部２４の表示が例えば第４図i）に示すトラックナンバーの表示から第４図ii）に示す音声記録可能な時間表示に切り替わるように操作するものであることから、「選択手段で選択された画像情報信号に固有の」「情報」等「のうち、表示装置に表示させる情報の種類を選択すべく、使用者の手動操作による選択を受け付ける受け付け手段」を意味し、
 刊行物１記載発明の「表示部２４」は、本件請求項１に係る発明の「表示装置」に相当するので、
両者は、
「「画像情報信号とともに、当該画像情報信号に固有の」「情報」「が記憶されている記録媒体から、画像情報信号を再生する再生装置であって、
前記記録媒体に記憶された画像情報信号のうち、再生すべき画像情報信号を任意に選択する選択手段と、
前記選択手段で選択された画像情報信号と、当該画像情報信号に固有の」「情報」「を、前記記録媒体から読み出す読み出し手段と、
前記選択手段で選択された画像情報信号に固有の」「情報」「のうち、表示装置に表示させる情報の種類を選択すべく、使用者の手動操作による選択を受け付ける受け付け手段と、」
「を有することを特徴とする再生装置。」」
で一致し、下記（１）（２）の点で相違する。
（１）画像情報信号に付加され、読み出し可能に記録されると共に、表示させるために選択可能とした付加情報が、本件請求項１に係る発明では「シリアル番号を示す情報」と「日時情報」であるのに対し、刊行物１記載発明では、トラック情報である点、
（２）受け付け手段によって選択された情報の表示を、本件請求項１に係る発明では、解除手段によって所定時間経過後に解除するのに対し、刊行物１記載発明では、そのような解除手段によって解除するようにはなっていない点。
　上記相違点について審究する。
（相違点（１）について）
　画像情報について、フイルム枚数、撮影枚数、日時、その他数字表示をする項目（ＩＤ）を表示するようにＩＤスイッチ１４を設けることは上記刊行物２に示されており、
また、テープの始めから各曲毎に通し番号（即ち、シリアル番号）がプログラム番号としてサブコード領域ＳＵＢに書かれること、再生時にはこのテンキーで聞きたい曲の曲番を選ぶことは、上記刊行物３に示されており、
また、ブロックＩＤは物理的位置、即ちリールに巻かれているテープの量または長さを示す値と、論理的番号、すなわちブロックに順番に付けられた番号（いわば、シリアル番号）とから構成されていること、データを記録する際にこのブロックＩＤを生成してデータの最後部に付加し、データを読み出す際にはその付加されたＩＤによって読み出されること、が上記刊行物４に記載されている。
  これら記載によれば、主なる記録情報にシリアル番号を付けること、および、このシリアル番号を再生可能に記録すること、は例えば、上記刊行物３，４に示されるように周知事項であり、
さらに、このシリアル番号を表示させることは上記刊行物３に示されており、また、撮影枚数などのシリアル番号がスイッチ、即ち使用者の手動操作による選択を受け付ける手段、により選択された各種情報を表示装置に表示させることが、上記刊行物２に示されていることになる。
  また、主なる記録情報に日時情報を付加し、表示可能に記録することは、例えば特開昭６３−８８７０号公報、特開昭６４−８４８５号公報、特開昭６０−２０７９７５号公報に、検索データを画像番号または収容アドレス、撮影年月日または画像収集年月日として、検索対象である画像データとともに記録することとして示されるように、周知事項である。
  しかも、上記トラック情報と上記シリアル番号を示す情報、日時情報とはいずれも付加情報であってみれば、主なる情報である画像情報信号に付加する付加情報を、シリアル番号を示す情報と日時情報とにすることは、それぞれ周知な付加情報のうちから単に前記両情報を選択することにすぎず、当業者が容易に発明をすることができたものといえる。
  してみれば、上記相違点（１）は、上記刊行物２，３，４記載発明および上記周知事項に基づいて当業者が容易に発明をすることができたものである。
（相違点（２）について）
  情報の表示を所定時間経過後に解除するために解除手段を用いることは、例えば、 実願昭６１−９４５２９号（実開昭６３−３６８２号公報）のマイクロフイルムに、具体例として、再生すべきこまナンバーの画像の表示を一致検出回路４８が表示時間の経過を検出して停止させること、として示され、また、特開平１−１２３３６６号公報に、具体例として、文書情報の表示検索ページめくり方式により行うものにおいて、文書情報を所定の表示時間表示した後表示を停止すること、として示されているように周知事項である。
   そして、表示装置に表示させる情報の種類を選択すべく、使用者の手動操作による選択を受け付ける受け付け手段は、上記のとおり上記刊行物１記載発明に示されている。
　そうとすれば、上記刊行物１記載発明の上記受け付け手段により選択される表示情報を、上記周知事項である解除手段の適用により所定時間経過後に解除するようにすることは、当業者が容易に成し得たものといえる。
　してみれば、上記相違点（２）は、上記周知事項から当業者が容易に発明をすることができたものである。
４．以上述べたとおりであるから、本件請求項１に係る発明は、上記刊行物１，２，３および４記載発明および上記周知事項に基づいて当業者が容易に発明をすることができたものであるから、特許法第２９条２項の規定により、特許をうけることができない。
　よって、結論のとおり審決する。